(57)【要約】【課題】直流給電時において、アークが発生しない条件下でのみ遮断を行うことが可能なコネクタが提供される。【解決手段】プラグの挿入に伴い接触して該プラグに直流電流を供給する接点を有するリレーと、前記プラグに直流電流を供給する際に生じる磁力により前記リレーと結合して前記プラグをロックするロック機構と、を備える、コネクタが提供される。当該コネクタは、直流給電時において、アークが発生しない条件下でのみプラグの抜去を許して直流電流の遮断を行うことが可能となる。【選択図】図１
2017090388.tif 000002
【特許請求の範囲】
【請求項１】
プラグに直流電流を供給する導体と、
前記プラグの挿入に伴い、前記導体と接触して該プラグに直流電流を供給する接点を有するリレーと、
前記プラグに直流電流を供給する際に前記リレーが生じさせる磁力により前記リレーと結合して前記プラグをロックするロック機構と、
を備える、コネクタ。
【請求項２】
前記磁力が失われると前記プラグを前記ロック機構からリリースする弾性体をさらに備える、請求項１に記載のコネクタ。
【請求項３】
前記導体は、前記プラグの挿入に伴って該プラグの結合部と嵌合される接点を備える、請求項１に記載のコネクタ。
【請求項４】
前記ロック機構は、前記プラグの挿入または抜去に伴い支点を中心に所定範囲回動する、請求項１に記載のコネクタ。
【請求項５】
前記導体は、前記リレーと接触する際に前記リレーと接触する接点と前記支点との間が湾曲する、請求項４に記載のコネクタ。
【請求項６】
プラグの挿入に伴い該プラグに直流電流を供給する接点が接触することと、
前記プラグに直流電流を供給する際にリレーが生じさせる磁力により前記プラグをロックすることと、
を含む、接続方法。
【請求項７】
プラグに供給される直流電流の減少によりリレーが生じさせる磁力が減少することと、
前記磁力の減少に伴い、弾性体の弾性力を用いて前記プラグのロックを解除することと、
を含む、遮断方法。
【請求項８】
請求項１に記載のコネクタを備える、電動移動体。
【請求項９】
直流電力を供給するバッテリと、
前記バッテリから供給される直流電力による駆動する駆動部と、
前記バッテリと前記駆動部との間に設けられる、少なくとも１つの、請求項１に記載のコネクタと、
を備える、電力供給システム。
【請求項１０】
前記電力供給システムは、電動移動体である、請求項９に記載の電力供給システム。
【発明の詳細な説明】
【技術分野】
【０００１】
本開示は、コネクタ、接続方法、遮断方法、電動移動体及び電力供給システムに関する。
【背景技術】
【０００２】
直流給電でも交流給電でも、電力の切断時にはアーク放電が発生する。交流の場合、所定の時間毎（例えば１０ミリ秒毎）に電圧がゼロとなる瞬間があるので、アーク放電は少なくとも上記所定の時間内（例えば１０ミリ秒以内）に自然に止まる。しかし直流給電では、ゼロ電圧となる瞬間がないため、アーク放電は自然には止まらない。【０００３】
そのため、直流給電の場合に電力の切断時にアーク放電の発生を抑えることを目的とした技術が開示されている（特許文献１，２等参照）。
【先行技術文献】
【特許文献】
【０００４】
【特許文献１】特開２００４−１５８３３２号公報
【特許文献２】国際公開第２０１１／０７１１７０号
【発明の概要】
【発明が解決しようとする課題】
【０００５】
しかし、特許文献１，２で開示されている技術では、ブラグがコネクタに挿入され、通電した瞬間にロック機構が働くため、プラグの挿入を阻害してしまい、挿入初期の突入電流が流れる状態では完全な挿入が出来ず、再投入するための抜去でアークが発生する可能性があった。【０００６】
そこで本開示では、直流給電時において、アークが発生しない条件下でのみ遮断を行うことが可能な、新規かつ改良されたコネクタ、接続方法、遮断方法、電動移動体及び電力供給システムを提案する。
【課題を解決するための手段】
【０００７】
本開示によれば、プラグに直流電流を供給する導体と、前記プラグの挿入に伴い、前記導体と接触して該プラグに直流電流を供給する接点を有するリレーと、前記プラグに直流電流を供給する際に前記リレーが生じさせる磁力により前記リレーと結合して前記プラグをロックするロック機構と、を備える、コネクタが提供される。【０００８】
また本開示によれば、プラグの挿入に伴い該プラグに直流電流を供給する接点が接触することと、前記プラグに直流電流を供給する際にリレーが生じさせる磁力により前記プラグをロックすることと、を含む、接続方法が提供される。【０００９】
また本開示によれば、プラグに供給される直流電流の減少によりリレーが生じさせる磁力が減少することと、前記磁力の減少に伴い、弾性体の弾性力を用いて前記プラグのロックを解除することと、を含む、遮断方法が提供される。【００１０】
また本開示によれば、上記コネクタを備える、電動移動体が提供される。【００１１】
また本開示によれば、直流電力を供給するバッテリと、前記バッテリから供給される直流電力による駆動する駆動部と、前記バッテリと前記駆動部との間に設けられる、少なくとも１つの上記コネクタと、を備える、電力供給システムが提供される。
【発明の効果】
【００１２】
以上説明したように本開示によれば、直流給電時において、アークが発生しない条件下でのみ遮断を行うことが可能な、新規かつ改良されたコネクタ、接続方法、遮断方法、電動移動体及び電力供給システムを提供することが出来る。【００１３】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１４】
【図１】本開示の実施の形態の第１構成例を示す説明図である。
【図２】本開示の実施の形態の第１構成例を示す説明図である。
【図３】コネクタへのプラグ栓刃の挿入から抜去までのシーケンスを示す説明図である。
【図４】本開示の実施の形態の第２構成例を示す説明図である。
【図５】本開示の実施の形態の第２構成例を示す説明図である。
【図６】コネクタを備えた移動体の機能構成例を示す説明図である。
【発明を実施するための形態】
【００１５】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１６】
なお、説明は以下の順序で行うものとする。
１．本開示の実施の形態
１．１．背景
１．２．第１構成例
１．３．第２構成例
２．まとめ
【００１７】
＜１．本開示の実施の形態＞
［１．１．背景］
まず、本開示の実施の形態の背景について説明する。
【００１８】
直流給電でも交流給電でも、電力の切断時にはアーク放電が発生する。交流の場合、所定の時間毎（例えば１０ミリ秒毎）に電圧がゼロとなる瞬間があるので、アーク放電は少なくとも上記所定の時間内（例えば１０ミリ秒以内）に自然に止まる。しかし直流給電では、ゼロ電圧となる瞬間がないため、アーク放電は自然には止まらない。そのため、直流給電の場合に電力の切断時にアーク放電の発生を抑えることを目的とした技術が開示されている。
【００１９】
例えば、上記特許文献１、２では、直流電流を完全に遮断してから、プラグをコネクタから抜去するための技術が開示されている。
【００２０】
しかし、上記特許文献１、２で開示されている技術を含め、既存の技術では、ブラグがコネクタに挿入され、通電した瞬間にロック機構が働くため、プラグの挿入を阻害してしまい、挿入初期の突入電流が流れる状態では完全な挿入が出来ず、再投入するための抜去でアークが発生する可能性があった。
【００２１】
また、アーク抑制回路やアーク消弧機構を持たないスイッチにある一定以上の電流が流れている状態で直流電流の遮断を開始すると、アークが発生し、アークによる熱が回路に影響を与えうる。また、所定値以下の電流が流れている状態でのみ回路を切り替えられる回路分離機構においても、手順を間違えて分離するとアークが発生し続け、アークによる熱が回路に影響を与えうる。
【００２２】
また、断路器など電流を遮断した状態でのみ回路を分離する装置に、安全のためにアーク消弧装置やアーク抑制回路などの安全装置を備えると高価となり、また当該安全装置の定格電流を超えた状態で遮断する場合にアークが発生し、そのアークによる熱が回路に影響を与えうる。
【００２３】
そこで本件開示者は、上述した背景に鑑み、直流給電において、簡易な構成で安全に直流電流を遮断できる技術について、鋭意検討を行った。その結果、本件開示者は、以下で説明するように、直流給電において、簡易な構成で安全に直流電流を遮断できる技術を考案するに至った。
【００２４】
以上、本開示の実施の形態の背景を説明した。続いて、本開示の実施の形態について詳細に説明する。
【００２５】
［１．２．第１構成例］
まず、本開示の実施の形態の第１構成例について説明する。図１及び図２は、本開示の実施の形態の第１構成例を示す説明図である。以下、図１及び図２を用いて本開示の実施の形態の第１構成例について説明する。
【００２６】
図１及び図２に示したのは、本開示の実施の形態の第１構成例に係るコネクタ１００である。コネクタ１００には、２本のプラグ栓刃２０ａ、２０ｂが挿入されうる。図２に示したように、コネクタ１００にプラグ栓刃２０ａ、２０ｂが完全に挿入されると、図示しない直流電源から負荷１０へ直流の電流が流れる。
【００２７】
コネクタ１００は、ソケットバネ１０１ａ、１０１ｂと、ロックレバー１１１と、リリースバネ１２０と、リレー１３０と、を備える。
【００２８】
ソケットバネ１０１ａは本開示の導体の一例であり、ソケットバネ接点１０２ａ及びリレー接点１１４を備える。ソケットバネ１０１ｂはソケットバネ接点１０２ｂ、１０３ｂを備える。ロックレバー１１１は、結合部１１２を備える。リレー１３０は、コイル１３１と、リレー接点１３２と、を備える。
【００２９】
ソケットバネ１０１ａは、プラグ栓刃２０ａが挿入され、プラグ栓刃２０ａの結合部２１ａとソケットバネ接点１０２ａとが嵌め合わされ、また、プラグ栓刃２０ａの挿入によりロックレバー１１１が押し込まれ、リレー接点１１４がリレー接点１３２と接触することで、プラグ栓刃２０ａを通じて負荷１０に直流電流を流す。
【００３０】
ソケットバネ１０１ｂは、プラグ栓刃２０ｂが挿入され、プラグ栓刃２０ｂの結合部２１ｂとソケットバネ接点１０２ｂとが、結合部２２ｂとソケットバネ接点１０３ｂとが、それぞれ嵌め合わされることで、負荷１０からの直流電流を流す。
【００３１】
ロックレバー１１１は、プラグ栓刃２０ａが挿入され、ロックレバー１１１の結合部１１２と、プラグ栓刃２０ａの結合部２２ａとが嵌め合わされることで、プラグ栓刃２０ａをロックする。またロックレバー１１１は、本開示の弾性体の一例であるリリースバネ１２０によって、プラグ栓刃２０ａが挿入されていない状態では図のように持ち上げられた状態となる。
【００３２】
ロックレバー１１１は、支点１１３においてソケットバネ１０１ａに接続されている。図２のように、プラグ栓刃２０ａが挿入された状態となると、プラグ栓刃２０ａによってロックレバー１１１のリレー鉄片１１５が押し込まれ、支点１１３を中心に所定範囲回動すると、ロックレバー１１１の結合部１１２と、プラグ栓刃２０ａの結合部２２ａとが嵌め合わされる。
【００３３】
プラグ栓刃２０ａの挿入による、リレー接点１１４、１３２との接触のタイミングと、ロックレバー１１１の結合部１１２と、プラグ栓刃２０ａの結合部２２ａとの嵌合のタイミングとは、ほぼ同時であること、または、プラグ栓刃２０ａの結合部２２ａとの嵌合のタイミングの方が早いことが望ましい。また、支点１１３とリレー接点１１４との間は直線状であってもよく、図２に示したように、湾曲した状態となってもよい。
【００３４】
ロックレバー１１１は、磁石に付く性質を有する金属、例えば鉄で形成される。プラグ栓刃２０ａが挿入され、プラグ栓刃２０ａを通じて負荷１０に直流電流が流れると、リレー１３０のコイル１３１に電流が流れる。コイル１３１に電流が流れることで、リレー１３０が磁力を帯びるようになる。リレー１３０が磁力を帯びると、リレー１３０とリレー鉄片１１５とが磁力によって結合した状態となる。
【００３５】
このため、ある所定値以上の直流電流、すなわち、アークの発生条件を満たす直流電流（例えば１．５アンペア以上の電流）がプラグ栓刃２０ａを通じて負荷１０に流れている状態では、リレー１３０とリレー鉄片１１５とが磁力によって結合しており、プラグ栓刃２０ａを抜去しようとしてもロックレバー１１１がリレー１３０から離れない。
【００３６】
一方、上記所定値未満の直流電流、すなわち、アークの発生条件を満たさない直流電流（例えば１アンペア以下の電流）がプラグ栓刃２０ａを通じて負荷１０に流れている状態、または、直流電流が全く流れていない状態では、リレー１３０とリレー鉄片１１５との結合力より、リリースバネ１２０の弾性力を含んだ、プラグ栓刃２０ａを抜去しようとする力が上回り、ロックレバー１１１がリレー１３０から離れられる。リレー１３０とリレー鉄片１１５とが離れると、リレー接点１１４、１３２が離れ、プラグ栓刃２０ａへの直流電流の供給が完全に遮断される。アークの発生条件を満たさない直流電流がプラグ栓刃２０ａを通じて負荷１０に流れている状態、または、直流電流が全く流れていない状態なので、リレー接点１１４、１３２が離れてもアークの発生には至らない。
【００３７】
図３は、コネクタ１００へのプラグ栓刃２０ａ、２０ｂの挿入から抜去までのシーケンスを示す説明図である。図３に示したグラフは、横軸が時間、縦軸がプラグ栓刃２０ａ、２０ｂの挿入量、ロックレバー１１１の位置、コイル１３１に流れる電流（すなわち負荷１０に流れる電流）の量を示している。
【００３８】
時刻ｔ１でプラグ栓刃２０ａ、２０ｂの挿入が開始される。挿入が終わる直前の時刻ｔ２で、プラグ栓刃２０ａの先端がリレー鉄片１１５を押すと、ロックレバー１１０がロック位置に移動する。その後、時刻ｔ３でリレー接点１４、１３２が接触し、コイル１３１に電流が流れると、コイル１３１が発生させる磁力でリレー鉄片１１５がリレー１３０に吸引され、ロックレバー１１０が完全にロック位置にセットされる。
【００３９】
その後、負荷１０に流れる電流が変化し、時刻ｔ４でコイル１３１に流れる電流が０となると、リレー１３０はリレー鉄片１１５を吸引する吸引力が無くなり、リリースバネ１２０の力でロックレバー１１０が一部引き戻される。しかし、リリースバネ１２０の力でロックレバー１１０が一部引き戻されるが、プラグ栓刃２０ａが挿入位置から戻るほどではない。
【００４０】
その後、負荷１０に流れる電流がさらに変化し、時刻ｔ５で負荷１０に流れる電流が増え始めると、コイル１３１が発生させる磁界でリレー鉄片１１５がリレー１３０に吸引され、ロックレバー１１０が完全にロック位置に再びセットされる。
【００４１】
スタンバイ状態など、負荷１０に流れる電流がアークを発生させない程度に減流している状態で、プラグ栓刃２０ａ、２０ｂの抜去が開始されると、ロックレバー１１０がリリースバネ１２０の力で戻される。この状態では電流がアークを発生させない程度に減流しているので、そのままプラグ栓刃２０ａ、２０ｂをコネクタ１００から引き抜くことができる状態となる。プラグ栓刃２０ａ、２０ｂが引き抜かれる途中の時刻ｔ７の時点でリレー接点１１４、１３２の接続が解除されるが、その時の電流はアーク発生条件より低いので、アークとならないで遮断でき、コイル電流も０となる。
【００４２】
以上説明したように本開示の実施の形態の第１構成例によれば、プラグ栓刃２０ａ、２０ｂが挿入されると、磁力によってプラグ栓刃２０ａ、２０ｂの抜去が出来ないようにすることで、アーク消弧装置やアーク抑制回路などの安全装置を備えずに、安全に直流電流を遮断できるコネクタ１００が提供される。
【００４３】
［１．３．第２構成例］
続いて、本開示の実施の形態の第２構成例について説明する。図４及び図５は、本開示の実施の形態の第２構成例を示す説明図である。以下、図４及び図５を用いて本開示の実施の形態の第２構成例について説明する。
【００４４】
第１の構成例は２つのプラグ栓刃２０ａ、２０ｂを有するプラグが挿入されるコネクタ１００の例であった。第２の構成例は、１本のプラグ栓刃が挿入されるコネクタの例を示す。
【００４５】
図４及び図５に示したのは、本開示の実施の形態の第２構成例に係るコネクタ１００’である。コネクタ１００’には、１本のプラグ栓刃２０ｃが挿入されうる。図５に示したように、コネクタ１００’にプラグ栓刃２０ｃが完全に挿入されると、図示しない直流電源から負荷１０へ直流の電流が流れる。
【００４６】
コネクタ１００’は、ソケットバネ１０１ｃと、ロックレバー１１１と、リリースバネ１２０と、リレー１３０と、を備える。
【００４７】
ソケットバネ１０１ｃはソケットバネ接点１０２ｃ及びリレー接点１１４を備える。ロックレバー１１１は、結合部１１２を備える。リレー１３０は、コイル１３１と、リレー接点１３２と、を備える。
【００４８】
ソケットバネ１０１ｃは、スライドバー３０がＯＮ方向に移動されることに伴ってプラグ栓刃２０ｃが挿入され、プラグ栓刃２０ｃの結合部２１ｃとソケットバネ接点１０２ｃとが嵌め合わされ、また、プラグ栓刃２０ｃの挿入によりロックレバー１１１が押し込まれ、リレー接点１１４がリレー接点１３２と接触することで、プラグ栓刃２０ｃを通じて負荷１０に直流電流を流す。
【００４９】
ロックレバー１１１は、スライドバー３０がＯＮ方向に移動されることに伴ってプラグ栓刃２０ｃが挿入され、ロックレバー１１１の結合部１１２と、プラグ栓刃２０ａの結合部２２ｃとが嵌め合わされることで、プラグ栓刃２０ｃをロックする。またロックレバー１１１は、リリースバネ１２０によって、プラグ栓刃２０ｃが挿入されていない状態では図４のように持ち上げられた状態となる。
【００５０】
ロックレバー１１１は、支点１１３においてソケットバネ１０１ｃに接続されている。図５のように、スライドバー３０がＯＮ方向に移動されてプラグ栓刃２０ｃが挿入された状態となると、プラグ栓刃２０ｃによってロックレバー１１１のリレー鉄片１１５が押し込まれ、支点１１３を中心に所定範囲回動すると、ロックレバー１１１の結合部１１２と、プラグ栓刃２０ｃの結合部２２ｃとが嵌め合わされる。
【００５１】
ロックレバー１１１は、磁石に付く性質を有する金属、例えば鉄で形成される。プラグ栓刃２０ｃが挿入され、プラグ栓刃２０ｃを通じて負荷１０に直流電流が流れると、リレー１３０のコイル１３１に電流が流れ、コイル１３１に電流が流れることでリレー１３０が磁力を帯びるようになる。リレー１３０が磁力を帯びると、リレー１３０とリレー鉄片１１５とが磁力によって結合した状態となる。
【００５２】
このため、ある所定値以上の直流電流、すなわち、アークの発生条件を満たす直流電流（例えば１．５アンペア以上の電流）がプラグ栓刃２０ｃを通じて負荷１０に流れている状態では、リレー１３０とリレー鉄片１１５とが磁力によって結合しており、スライドバー３０をＯＦＦ方向に移動させてプラグ栓刃２０ｃを抜去しようとしてもロックレバー１１１がリレー１３０から離れない。
【００５３】
一方、上記所定値未満の直流電流、すなわち、アークの発生条件を満たさない直流電流（例えば１アンペア以下の電流）がプラグ栓刃２０ｃを通じて負荷１０に流れている状態、または、直流電流が全く流れていない状態では、リレー１３０とリレー鉄片１１５との結合力より、リリースバネ１２０の弾性力を含んだ、スライドバー３０をＯＦＦ方向に移動させてプラグ栓刃２０ｃを抜去しようとする力が上回り、ロックレバー１１１がリレー１３０から離れられる。リレー１３０とリレー鉄片１１５とが離れると、リレー接点１１４、１３２が離れ、プラグ栓刃２０ｃへの直流電流の供給が完全に遮断される。アークの発生条件を満たさない直流電流がプラグ栓刃２０ｃを通じて負荷１０に流れている状態、または、直流電流が全く流れていない状態なので、リレー接点１１４、１３２が離れてもアークの発生には至らない。
【００５４】
以上説明したように本開示の実施の形態の第２構成例によれば、プラグ栓刃２０ｃが挿入されると、磁力によってプラグ栓刃２０ｃの抜去が出来ないようにすることで、アーク消弧装置やアーク抑制回路などの安全装置を備えずに、安全に直流電流を遮断できるコネクタ１００’が提供される。
【００５５】
図６は、コネクタ１００を備えた移動体１０００の機能構成例を示す説明図である。移動体１０００は、例えば、ガソリン車のようにガソリンを動力源とする移動体であってもよく、電気自動車、ハイブリッド車、電気オートバイ等の、充放電可能なバッテリを主な動力源とする移動体であってもよい。図６には、移動体１０００に、バッテリ１０１０と、バッテリから供給される電力により駆動する駆動部１０２０と、が備えられた場合の例が示されている。駆動部１０２０には、例えばワイパー、パワーウィンドウ、ライト、カーナビゲーションシステム、エアーコンディショナのような車両に備えられる装備品や、モーター等の移動体１０００を駆動させる装置などが含まれうる。
【００５６】
そして図６に示した移動体１０００には、バッテリ１０１０から駆動部１０２０へ直流電力が供給される経路の途中に、コネクタ１００が設けられている。図６に示した移動体１０００は、バッテリ１０１０から駆動部１０２０へ直流電力が供給される経路上に、コネクタ１００が設けられることで、例えばバッテリ１０１０を一時着脱させる際等にアーク放電の発生を抑えることが出来る。
【００５７】
なお図６には、コネクタ１００が１つだけ備えられている移動体１０００の例を示したが、本開示は係る例に限定されるものではない。すなわち、コネクタ１００は直流電力が供給される経路の途中に複数設けられても良い。またコネクタ１００は、バッテリ１０１０から駆動部１０２０へ直流電力が供給される経路の途中だけでなく、他の場所、例えばバッテリ１０１０を直流電力で充電する際の経路の途中に設けられても良い。移動体１０００は、バッテリ１０１０を直流電力で充電する際の経路の途中にコネクタ１００を設けることで、安全にバッテリ１０１０を直流電力で充電することができる。
【００５８】
また図６には、バッテリ１０１０から駆動部１０２０への直流電力の供給と遮断とを切り替えるのに、第１構成例のコネクタ１００を示したが、もちろん第２構成例のコネクタ１００’が用いられても良いことは言うまでも無いことである。
【００５９】
上述のコネクタ１００、１００’は、他にも太陽光、風力などの再生可能エネルギーにより発電された電力を受電する給電ケーブルの着脱のためにも用いられ得る。上述のコネクタ１００、１００’を、そのような給電ケーブルの着脱の用途に用いることで、発電中の状態での給電ケーブルの抜去を防ぎ、発電していない状態での給電ケーブルの抜去を可能にする。
【００６０】
＜２．まとめ＞
以上説明したように本開示の実施の形態によれば、プラグ栓刃が挿入され、アークの発生条件以上の電流がプラグ栓刃に流れている状態では、電流により生じる磁力によってプラグ栓刃の抜去を妨げ、アークの発生条件を下回る電流がプラグ栓刃に流れている状態ではプラグ栓刃の抜去を許すコネクタが提供される。
【００６１】
本実施形態にかかるコネクタは、アークの発生条件以上の電流がプラグ栓刃に流れている状態では、電流により生じる磁力によってプラグ栓刃の抜去を妨げ、アークの発生条件を下回る電流がプラグ栓刃に流れている状態でプラグ栓刃の抜去を許すことで、簡易な構成で、かつ、安全に直流電流を遮断させることが可能となる。
【００６２】
もちろん、上述したコネクタの各部品やプラグ栓刃の構造は図示したものに限定されない。上述の説明では、プラグ栓刃を抜去しようとする力を、リリースバネ１２０の弾性力を含めた力としていたが、弾性力を用いる弾性体であれば図示したリリースバネ１２０に限定されるものでは無い。
【００６３】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００６４】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００６５】
なお、以下のような構成も本開示の技術的範囲に属する。
（１）
プラグに直流電流を供給する導体と、
前記プラグの挿入に伴い、前記導体と接触して該プラグに直流電流を供給する接点を有するリレーと、
前記プラグに直流電流を供給する際に前記リレーが生じさせる磁力により前記リレーと結合して前記プラグをロックするロック機構と、
を備える、コネクタ。
（２）
前記磁力が失われると前記プラグを前記ロック機構からリリースする弾性体をさらに備える、前記（１）に記載のコネクタ。
（３）
前記導体は、前記プラグの挿入に伴って該プラグの結合部と嵌合される接点を備える、前記（１）または（２）に記載のコネクタ。
（４）
前記ロック機構は、前記プラグの挿入または抜去に伴い支点を中心に所定範囲回動する、前記（１）〜（３）のいずれかに記載のコネクタ。
（５）
前記導体は、前記リレーと接触する際に前記リレーと接触する接点と前記支点との間が湾曲する、前記（４）に記載のコネクタ。
（６）
プラグの挿入に伴い該プラグに直流電流を供給する接点が接触することと、
前記プラグに直流電流を供給する際にリレーが生じさせる磁力により前記プラグをロックすることと、
を含む、接続方法。
（７）
プラグに供給される直流電流の減少によりリレーが生じさせる磁力が減少することと、
前記磁力の減少に伴い、弾性体の弾性力を用いて前記プラグのロックを解除することと、
を含む、遮断方法。
（８）
前記（１）〜（５）のいずれかに記載のコネクタを備える、電動移動体。
（９）
直流電力を供給するバッテリと、
前記バッテリから供給される直流電力による駆動する駆動部と、
前記バッテリと前記駆動部との間に設けられる、少なくとも１つの、前記（１）〜（５）のいずれかに記載のコネクタと、
を備える、電力供給システム。
（１０）
前記電力供給システムは、電動移動体である、前記（９）に記載の電力供給システム。
【符号の説明】
【００６６】
１０      ：負荷
１４      ：リレー接点
２０ａ    ：プラグ栓刃
２０ｂ    ：プラグ栓刃
２０ｃ    ：プラグ栓刃
２１ａ    ：結合部
２１ｂ    ：結合部
２１ｃ    ：結合部
２２ａ    ：結合部
２２ｂ    ：結合部
２２ｃ    ：結合部
３０      ：スライドバー
１００    ：コネクタ
１００’  ：コネクタ
１０１ａ  ：ソケットバネ
１０１ｂ  ：ソケットバネ
１０１ｃ  ：ソケットバネ
１０２ａ  ：ソケットバネ接点
１０２ｂ  ：ソケットバネ接点
１０２ｃ  ：ソケットバネ接点
１０３ｂ  ：ソケットバネ接点
１１０    ：ロックレバー
１１１    ：ロックレバー
１１２    ：結合部
１１３    ：支点
１１４    ：リレー接点
１１５    ：リレー鉄片
１２０    ：リリースバネ
１３０    ：リレー
１３１    ：コイル
１３２    ：リレー接点
【図１】
2017090388.tif 000003
【図２】
2017090388.tif 000004
【図３】
2017090388.tif 000005
【図４】
2017090388.tif 000006
【図５】
2017090388.tif 000007
【図６】
2017090388.tif 000008
【国際調査報告】
2017090388.tif 000009
2017090388.tif 000010
2017090388.tif 000011
2017090388.tif 000012